(57)【要約】      （修正有）【課題】水飲み鳥を自動で長期間持続して安定動作させるとともに、水飲み鳥の振り子動作やくちばしの動きに適した形状とし、設置の調整を容易にする。また、小型化にすることにより、観賞用の動作する置物としてより高度なものにする。【解決手段】水飲み部２の水面１２の空気に触れる表面積を小さくすることにより水面１２から蒸発する水の量を出来る限り抑え、水飲み鳥用の形状とすることで、小型化、かつ設置の調整が容易に出来ることにより、長期間持続して自動で安定に動作することを特徴とする。【選択図】図３
2019118662.tif 000002
【特許請求の範囲】
【請求項１】
図３に示すとおり、水面１２に貯水容器１４の口を縦に沈め水面１２が貯水容器１４の口の最下面より低くなったところで貯水容器１４の貯水容器の水１５が水面１２に沈むまで貯水容器の水１５を落とす構造の自動給水器であって、水飲み鳥１０用として空気に触れる水面１２の面積を小さくすることで、水面１２から蒸発する水１１の量を抑えた水飲み部２と貯水容器１４を差し込むことのできる貯水容器受け穴４を設けた貯水容器受け部３を有した水飲み鳥用自動給水器。
【請求項２】
図６に示すとおり、水飲み部２の水面１２に水飲み鳥１０のくちばしが入るところ以外を水面１２と空気が触れない様におわん型水面保護フロート５を水飲み部２の水面１２に浮かせ空気遮断壁を設けることで、水面１２の水の蒸発をさらに抑えることを可能にした請求項１記載の水飲み鳥用自動給水器。
【請求項３】
図７に示すとおり、水飲み部２の水面１２に水飲み鳥１０のくちばしが入るところ以外を水面１２と空気が触れない様に中空型水面保護フロート６を水飲み部２の水面１２に浮かせ空気遮断壁を設けることで、水面１２の水の蒸発をさらに抑えることを可能にした請求項１記載の水飲み鳥用自動給水器。
【請求項４】
図１１に示すとおり、貯水容器１４に角度をもたせ、水面１２と貯水容器１４の口の接触部の表面張力を少なくし、給水動作を少量づつ行うことにより、水飲み部２の水面１２の上下動を極力小さくなることで、水飲み鳥１０のくちばしの浸かり方を深く一定に保つことを調整可能とした請求項１記載の水飲み鳥用自動給水器。
【請求項５】
図３の（ｂ）、図１１の（ｂ）に示すとおり、貯水容器受け部３と水飲み部２の水の通路７で接続することで、貯水容器の水１５を入れた貯水容器１４のセット時に初期に入れた貯水容器の水１５が流れ出る量を出来る限り少なくなる様に水の通路７の水飲み部２側の出口を指で塞ぐことを可能にし、塞ぐことにより貯水容器受け部３から水飲み部２に流れてくる水１１を止め、貯水容器１４の貯水容器の水１５の目減りを抑えてセットできることにより、長期間持続して動作を行うことを可能にした請求項１記載の水飲み鳥用自動給水器。
【発明の詳細な説明】
【技術分野】
【０００１】
本発明は、観賞用置物の水飲み鳥用自動給水器に関する。
【背景技術】
【０００２】
昔からある水飲み鳥１０は、なつかしい置物として今でも購入したいと考えている人も多くいる。そして、水飲み鳥１０を購入した場合、図１のコップ１０１にいっぱいすれすれの量の水１１を注ぎ、水飲み鳥１０か、またはコップ１０１のどちらかに適当な台１０２を用意して水飲み鳥１０が前にかがんで水１１を飲む時にくちばしが水１１にしっかり浸たる様に調整し設置する。一方、この水飲み鳥１０のくちばしから吸い上げられる水１１とコップ１０１に注がれた水面１２と空気と触れた水面１２からの蒸発により、周囲の湿度によっては異なるが、水１１の量が減っていきコップ１０１の中の水面１２が下がっていく。従って、場合によっては数日に一度は水１１を追加してコップいっぱいすれすれの量にする必要がある。しかしながら、徐々にコップ１０１に水１１を追加することを忘れることも多くなり、追加を中段してしまうとただの動かない置物となってしまうという大きな欠点があった。
また、犬、猫用で水面にペットボトルの口を垂直に沈め水面がペットボトルの口の最下面より低くなったところでペットボトルの水が水面に沈むまで水を落とす構造の自動給水器が水飲み鳥１０の自動給水器として適しているか考えてみると、水飲み鳥の振り子動作のためのスペースの確保がとり難くいことや水面が空気に面している表面積が大きいため蒸発も多く、そのため補充する水の量が多いので、長期間持続しての動作は望めず、さらにサイズも大きいので場所をとるなど、水飲み鳥１０用の自動給水器としては適していない。
【発明の概要】
【発明が解決しようとする課題】
【０００３】
水飲み鳥１０を自動で長期間持続して安定動作させるために自動給水器が水飲み鳥１０のお腹の膨らんだ部分の振り子動作やくちばしの水飲み動作に適した形状であることや、水を貯めている容器の水の水面からの水の蒸発を少なくする必要がある。
【課題を解決するための手段】
【０００４】
水飲み鳥１０のお腹の膨らんだ部分が振り子動作やくちばしの水飲み動作に適した形状とし、水飲み部２の空気に触れる表面積を水飲み鳥１０のくちばしが浸かるに適したサイズまで小型化する。
【発明の効果】
【０００５】
水飲み鳥１０に適した形状にすることで、水飲み鳥と自動給水器の設置の調整を容易にし、水飲み部２の空気に触れる表面積を小さくすることにより空気に触れる水面１２から蒸発する水１２の量を出来る限り抑えることにより、長期間持続して自動安定に動作することを可能とする。
【図面の簡単な説明】
【０００６】
【図１】図１は、従来の水飲み鳥の設置方法の説明図の断面図である。
【図２】図２は、従来の水飲み鳥の設置方法の場合の水の減少による水位の下がる様子を説明した図である。
【図３】図３は、本考案の水飲み鳥用自動給水器（垂直型１羽用）の斜視図と断面図である。
【図４】図４は、本考案の水飲み鳥用自動給水器（垂直型２羽用）の斜視図と断面図である。
【図５】図５は、本考案の水飲み鳥用自動給水器（垂直型８羽用）の斜視図と断面図である。
【図６】図６は、本考案のおわん型水面保護フロートの斜視図と断面図である。
【図７】図７は、本考案の中空型水面保護フロートの斜視図と断面図である。
【図８】図８は、本考案の水飲み鳥用自動給水器（垂直型１羽用）の設置例の斜視図である。
【図９】図９は、本考案の水飲み鳥用自動給水器（垂直型１羽用）設置例の断面図である。
【図１０】図１０は、本考案の水飲み鳥用自動給水器（垂直型）水の供給の現象図である。
【図１１】図１１は、本考案の水飲み鳥用自動給水器（傾斜型１羽用）の斜視図と断面図である。
【図１２】図１２は、本考案の水飲み鳥用自動給水器（傾斜型１羽用）の設置例の斜視図である。
【図１３】図１３は、本考案の水飲み鳥用自動給水器（傾斜型１羽用）設置例の断面図である。
【図１４】図１４は、本考案の水飲み鳥用自動給水器（傾斜型）水の供給の現象図である。
【発明を実施するための形態】
【０００７】
本考案は、図３の水面１２に貯水容器１４の口を縦に沈め水面１２が貯水容器１４の口の最下面より低くなったところで貯水容器１４の水が水面１２に沈むまで水を落とす構造の自動給水器であって、水飲み鳥１０に適したサイズ、および構造を有する。この設置した全体の状態を図８、図９に示す。
貯水容器１４はペットボトルでも良いし、同じ構造の容器でもよい。ペットボトルは、５００ｍｌ、７５０ｍｌ、１０００ｍｌ、１５００ｍｌと様々なサイズがあるが口のサイズは規格で統一されているのでほとんどが使用できる。例えば周囲の湿度によって変化するが、５００ｍｌサイズのペットボトルで約１〜２ヶ月以上、１５００ｍｌサイズのペットボトルで約３〜６ヶ月以上、また容量を増せば増すほど、さらなる期間貯水容器１４の交換無しで動作し続けることが可能となる。
【実施例１】
【０００８】
図３の（ａ）に水飲み部２と貯水容器受け部３を有した構造の水飲み鳥用自動給水器１の斜視図を示し、（ｂ）にこの水飲み鳥用自動給水器１の断面図を示す。
実際に水飲み鳥１０を使用する場合は、図８の水飲み鳥用自動給水器１の高さ調整するために台１３を使用し、水飲み鳥１０のくちばし全体がが深く浸かる様に適した高さに設置する。
そして、貯水容器受け穴４に貯水容器１４の口を下にして差し込む。
水飲み鳥用自動給水器１の水飲み部２は小型なので、水が空気に触れる水面１２の面積が小さいことにより水の蒸発が少なく、貯水容器の水１５の減りを抑える事ができるため、長期間持続して動作することが可能となる。
【実施例２】
【０００９】
実施例１の図３が水飲み鳥１０が１羽に対して、２羽以上増やす場合、水飲み部２を伸ばして追加の水飲み鳥１０のスペースを確保することで可能となる。２羽の場合を図４に、８羽の場合を図５に示す。
【実施例３】
【００１０】
また、図６に示すおわん型水面保護フロート（１羽型）６０１を図３の水飲み部２に浮かせることで、おわん型水面保護フロート（２羽型）６０２を図４の水飲み部２に浮かせることで、おわん型水面保護フロート（８羽型）６０３を図５の水飲み部２に浮かせることにより、さらに水１１の空気に触れる水面１２の接触を少なくすることが出来るので、水面１２からの蒸発が減るため、さらに長期間持続して動作することがが可能となる。
フロートは、図７のに示す中空型水面保護フロート（１羽型）７０１を図３の水飲み部２に、中空型水面保護フロート（２羽型）７０２を図４の水飲み部２に、中空型水面保護フロート（８羽型）７０３を図５の水飲み部２に浮かせても同じ効果が得られる。
【実施例４】
【００１１】
また、図１０に表面張力張力で盛り上がった水の量（貯水容器垂直）１００１を示し、図１４に表面張力で盛り上がった水の量（貯水容器垂直）１４０１を示す。
貯水容器１４を図１１〜図１４に示すとおり斜めに差し込むことで、水が減少した時の表面張力で盛り上がる水の量が少なくなり、貯水容器の水１５からの１回当たりの水の自動補給が少量となるため水面１２の上下が少なくなり、くちばしに浸かる水位がさらに安定して浸かるため、が水飲み鳥１０はより安定して動作する。
【実施例５】
【００１２】
貯水容器受け部３と水飲み部２を水の通路７で接続することで、水１１を入れた貯水容器１４のセット時に水の通路７の水飲み部２側の出口を指で塞ぎ、この状態で水飲み部２に別に水１１を水飲み部２に補給すると初期に入れた水が流れ出る量を少なくする事ができ、貯水容器１４の水の目減りを抑えることにより、さらに長期間持続して動作を行うことが可能となる。
【符号の説明】
【００１３】
１        水飲み鳥用自動給水器
２        水飲み部
３        貯水容器受け部
４        貯水容器受け穴
５        おわん型水面保護フロート
６        中空型水面保護フロート
７        水の通路
１０      水飲み鳥
１１      水
１２      水面
１３      台
１４      貯水容器
１５      貯水容器の水
１０１    コップ
１０２    台
２０１    コップ大
２０２    コップ小
２０３    水位１(コップ大のはじめの水位)
２０４    水位２(コップ大の水位１から１日後)
２０５    水位３(コップ大の水位２から１日後)
２０６    水位４(コップ大の水位３から１日後)
２０７    水位５(コップ大の水位４から１日後)
２０８    水位６(コップ大の水位５から１日後)
２０９    水位１(コップ小のはじめの水位)
２１０    水位２(コップ小の水位１から１日後)
２１１    水位３(コップ小の水位２から１日後)
２１２    水位４(コップ小の水位３から１日後)
２１３    水位５(コップ小の水位４から１日後)
２１４    水位６(コップ小の水位５から１日後)
２１５    水飲み鳥のくちばし部
６０１    おわん型水面保護フロート（１羽用）
６０２    おわん型水面保護フロート（２羽用）
６０３    おわん型水面保護フロート（８羽用）
７０１    中空型水面保護フロート（１羽用）
７０２    中空型水面保護フロート（２羽用）
７０３    中空型水面保護フロート（８羽用）
１００１  表面張力で盛り上がった水（貯水容器垂直）
１４０１  表面張力で盛り上がった水（貯水容器斜め）
【図１】
2019118662.tif 000003
【図２】
2019118662.tif 000004
【図３】
2019118662.tif 000005
【図４】
2019118662.tif 000006
【図５】
2019118662.tif 000007
【図６】
2019118662.tif 000008
【図７】
2019118662.tif 000009
【図８】
2019118662.tif 000010
【図９】
2019118662.tif 000011
【図１０】
2019118662.tif 000012
【図１１】
2019118662.tif 000013
【図１２】
2019118662.tif 000014
【図１３】
2019118662.tif 000015
【図１４】
2019118662.tif 000016